(57)【要約】【課題】スナップフックをズボンのベルト通しなどに着脱する際にフックに掛け止めた物品が脱落したり、フックの開口部を閉塞する外れ止め部材が不如意に開いてフックに掛け止めた物品が脱落するおそれを解消すると共に、フックに掛け止めた物品を片手で容易にフックから取り外すことができるようにする。【解決手段】スナップフック本体１が、点対称の向きとなった二つのフックＦ１、Ｆ２を有するＳ字フックに形成されて、ベルト通し２１に掛け止める一方のフックＦ１の開口部２に、当該フックの内側からその先端部表面に圧接するように付勢された内開き式の外れ止め部材３が設けられ、物品３１を掛け止める他方のフックＦ２の開口部４に、当該フックの外側からその先端部表面に対して圧接するように付勢された外開き式の外れ止め部材５が設けられている。【選択図】図４
0003161174.tif 000002
【実用新案登録請求の範囲】
【請求項１】
フックの開口部に外れ止め部材が設けられたスナップフックにおいて、本体が、点対称の向きとなった二つのフックを有するＳ字フックに形成されて、そのＳ字フックの一方のフックの開口部に、当該フックの内側からその先端部表面に対して圧接するように付勢された内開き式の外れ止め部材が設けられ、Ｓ字フックの他方のフックの開口部に、当該フックの外側からその先端部表面に対して圧接するように付勢された外開き式の外れ止め部材が設けられていることを特徴とするスナップフック。
【請求項２】
スナップフック本体が、厚さ約２〜３ｍｍのステンレス板、アルミ合金板もしくは真鍮板によって平板状のＳ字フックに形成され、前記他方のフックが、最大約２〜３ｍｍ角の方形断面を有する角ロッド形状、又は最大径約２〜３ｍｍの円形断面もしくは楕円形断面を有する丸ロッド形状に形成されている請求項１記載のスナップフック。
【請求項３】
前記内開き式の外れ止め部材が、前記他方のフックのシャンク部に回動自在に固定された固定端と、前記一方のフックの内側から当該フックの先端部表面に圧接する自由端とを有した金属ロッド又はヘアピン形状ないしループ形状に曲げ加工されたワイヤで形成されている請求項１又は２記載のスナップフック。
【請求項４】
前記外開き式の外れ止め部材が、前記一方のフックのシャンク部に固定された固定端と、前記他方のフックの外側から当該フックの先端部表面に圧接する自由端とを有した薄板バネで形成されている請求項１、２又は３記載のスナップフック。
【請求項５】
前記薄板バネが、厚さ約０．２〜０．４ｍｍのステンレスバネ鋼によってスナップフック本体の厚さと略同等の幅を有する帯状バネに形成されている請求項４記載のスナップフック。
【請求項６】
前記薄板バネの固定端が、内側にカール曲げしたカール形状に成形されて、前記一方のフックのシャンク部に形成されたすり割り溝に嵌め込んで固定されている請求項４又は５記載のスナップフック。
【請求項７】
前記他方のフックの先端面が、丸みを帯びた凸曲面に形成されると共に、当該フックの先端部に、前記薄板バネの自由端が圧接する表面部位を削ぎ落として段付けした面取り部が形成され、前記薄板バネの自由端の端末部が、外側に反り曲げられて、当該端末部と前記面取り部との間にクリアランスが形成されている請求項４、５又は６記載のスナップフック。
【請求項８】
前記面取り部の表面が、鏡面研磨加工によって平滑面に形成されている請求項７記載のスナップフック。
【考案の詳細な説明】
【技術分野】
【０００１】
本考案は、フックの開口部に外れ止め部材が設けられたスナップフック係り、特に、リング部や閉ループ部を有するフィッシング用小物金具などを身につけて携行・携帯する用途に好適なスナップフックに関する。
【背景技術】
【０００２】
登山用品店やキャンプ用品店、アウトドアショップ等で販売されている従来一般のスナップフックは、例えば図５の如く、その本体５１が、片端５１ａ側をフック５２に形成し、他端５１ｂ側をその端末がフック５２の先端と一定の間隔をあけて対峙する形状に曲げ加工したステンレス製やアルミ合金製の丸ロッドで形成されて、その他端５１ｂに、フック５２の開口部５３を閉塞する内開き式の外れ止め部材５４が、フック５２の内側から当該フックの先端部表面に圧接するようにトーションバネ等で付勢して取り付けられた構成となっている。
【０００３】
この種のスナップフックは、本来、登山用ロープやテント用ロープなどを掛け止めるロープ掛け金具として作られたものであるが、これをズボンのベルト通しに取り付けたり、あるいはリュックサックやかばん、バッグなどに設けられたＤリング等の金属リングに取り付けて、図５（ｂ）の如く、鍵５５を吊るすキーリング５６をフック５２に掛け止めて鍵５５を携帯するキーホルダーなどとして使用されることもある。
【０００４】
しかし、図５（ａ）の如くフック５２の開口部を閉鎖する内開き式の外れ止め部材５４は、その外側から身体の一部や衣服などが押し当ると、図５（ｂ）の如く内側に開いて、フック５２の開口部５３が不如意に開放され、その開口部５３からフック５２に掛け止めたキーリング５６が抜け出して、鍵５５が脱落するおそれがある。
【０００５】
なお、内開き式の外れ止め部材が不如意に開いてフックの開口部が開放されることを防止するために、フックの開口部を閉塞する外れ止め部材を開放するためには二回の異なった動作を必要とする二重動作型（dual-action）の安全スナップフックなども提案されているが（特許文献１参照）、二重動作型は、その操作が面倒であるのみならず、構造が煩雑になって製造コストも嵩むという欠点がある。
【０００６】
また、図５のスナップフックは、これをズボンのベルト通しや、かばん、バッグの金属リング等に対して着脱する際に、外れ止め部材５４を内側に押し開いて、同図（ｂ）の如くフック５２の開口部５３を開放するが、その際、フック５２に掛けられたキーリング５６等の物品が、フック５２の開口部５３から抜け落ちるおそれがあり、上記のような二重動作型の安全スナップフックについても同様のおそれがある。
【０００７】
ところで、フィッシングには、例えば図６の如くライン（釣糸）６１にルアー６２を交換可能に連結するために用いるスナップ金具６３や、ラインの道糸とハリスを連結したり、ラインにオモリや枝針を連結するために用いるサルカン、ヨリモドシ等の小物金具が必要となるから、それら各種小物金具をフィッシング用ベストのポケットやウエストバッグの内部に納まるタックルケースなどの蓋付きケースに入れて釣り場に携行・携帯するのが一般的である。
【０００８】
しかし、フィッシングの最中に、小物金具が入ったタックルケースをポケットやバッグなどに出し入れしたり、当該タックルケースの蓋を開け閉めする操作を行うのは、面倒である。特に、川や海、湖などの浅瀬で水の中に立ち入ってルアーやフライをキャストする立ち込み釣りをしているときは、キャスティングロッド（釣り竿）の置き場所がないため、当該ロッドを片手で保持しつつ両手を使ってタックルケースの蓋を開け閉めしなければならず、また、キャスティングロッドとタックルケースの両方を手に保持しままタックルケース内の小物金具を取り出さなければならないから、非常に面倒であると同時に、タックルケースを水中に落とすおそれもあった。
【０００９】
そこで、本考案者は、図６の如くリング部ないし閉ループ部６４、６５を有するスナップ金具６３や、全体がリング状ないし閉ループ状に形成されたフィッシング用小物金具を、フィッシング用ベストに設けられたＤリングやズボンのベルト通しなどに取付可能なスナップフックに掛け止めて釣り場に携行・携帯することを企図したが、スナップフックの市販品の多くは、ロープ掛け金具として使用可能な強度を付与するために、図５の如く、フック５２を含む本体５１が太い丸ロッドで形成されているから、そのフック５２に図６に示すような小サイズのスナップ金具６３を掛け止めることができない。
【００１０】
また、既述のとおり、図５のスナップフックは、フック５２の開口部５３を閉塞する外れ止め部材５４に身体の一部や衣服などが押し当たると、フック５２の開口部５３が不如意に開放されて、その開口部５３からフック５２に掛け止めた物品が抜け落ちるおそれがある。
【００１１】
また、図５のスナップフックは、これをズボンのベルト通しなどに着脱する際に、物品を掛け止めるフック５２の開口部５３が開放されるので、その開口部５３からフック５２に掛け止めた物品が抜け落ちるおそれがある。特に、図６に示すスナップ金具６３のように細いワイヤで作られた軽量・小サイズの物品は、スナップフックをベルト通しなどに着脱する際に、その着脱操作を行う手指などが軽く触れるだけでも、フック５２の開口部５３から抜け落ちるおそれがある。
【００１２】
また、フック５２に掛け止めた物品を当該フックから取り外すときは、フック５２の開口部５３を閉塞する外れ止め部材５４をその外側から指先で押して内側に開いた状態にすると同時に、その状態を保持したまま、フック５２に掛け止められた物品を指先で摘まみ持ってフック５２の開口部５３から抜き出さなければならないが、このような操作を片手の指だけで行うことは困難であるし、その操作中に、指先で摘まみ持った物品を落とすおそれがあり、特に、小サイズの物品は、そのおそれが大きい。
【先行技術文献】
【特許文献】
【００１３】
【特許文献１】特表平１１−５１１５４２公報
【考案の概要】
【考案が解決しようとする課題】
【００１４】
本考案は、スナップフックをズボンのベルト通しや、かばんやバッグに設けられた金属リングなどに対して着脱する際に、フックに掛け止めた物品が脱落するおそれを解消すると同時に、フックの開口部を閉塞する外れ止め部材が不如意に開いてフックに掛け止めた物品が脱落するおそれも解消し、更に、フックに掛け止めた物品を片手で容易にフックから取り外すことができるようにすることを課題としている。
【課題を解決するための手段】
【００１５】
上記課題を解決するために、本考案は、フックの開口部に外れ止め部材が設けられたスナップフックにおいて、本体が、点対称の向きとなった二つのフックを有するＳ字フックに形成されて、そのＳ字フックの一方のフックの開口部に、当該フックの内側からその先端部表面に対して圧接するように付勢された内開き式の外れ止め部材が設けられ、Ｓ字フックの他方のフックの開口部に、当該フックの外側からその先端部表面に対して圧接するように付勢された外開き式の外れ止め部材が設けられていることを特徴とする。
【考案の効果】
【００１６】
本考案に係るスナップフックは、その本体を形成するＳ字フックの一方のフックを例えばズボンのベルト通しや、かばん、バッグに設けられたＤリング等の金属リングに掛け止めて、それらベルト通しや金属リングに取り付けると共に、Ｓ字フックの他方のフックに、リング状ないし閉ループ状に形成された物品や、リング部ないし閉ループ部を有する物品をを掛け止める。
【００１７】
この際、Ｓ字フックの一方のフックは、その開口部に設けられた内開き式の外れ止め部材をベルト通しや金属リングに押し当てて当該外れ止め部材を内側に押し開くだけで、ベルト通しや金属リングに簡単に掛け止めることができ、また、ベルト通しや金属リングに掛け止めたフックは、その開口部に設けられた内開き式の外れ止め部材に身体の一部や衣服が押し当って当該外れ止め部材が内側に開いても、ベルト通しや金属リングから外れ落ちるおそれはない。
【００１８】
また、本考案に係るスナップフックは、上記の如くＳ字フックの一方のフックをベルト通しや金属リングに掛け止めて、そのベルト通しや金属リングに取り付けるようにすれば、当該スナップフックをベルト通しや金属リングに対して着脱する際に、Ｓ字フックの他方のフックに掛け止めた物品が当該フックの開口部から抜け落ちるおそれがない。
【００１９】
更に、Ｓ字フックの他方のフックの開口部に設けられた外れ止め部材は、その外側から身体の一部や衣服などが押し当っても開かない外開き式であるから、当該外れ止め部材が不如意に開いてフックに掛け止めた物品が脱落するおそれもない。
【００２０】
また、Ｓ字フックの他方のフックに掛け止めた物品を当該フックから取り外すときは、その物品を、指先で摘まみ持って、フックの開口部に設けられた外開き式の外れ止め部材に対してその内側から押し当てるようにすれば、当該外れ止め部材が外側に開いて簡単に取り外すことができ、その操作も片手で容易に行うことができる。
【図面の簡単な説明】
【００２１】
【図１】本考案の実施例に係るスナップフックの正面図。
【図２】本考案の実施例に係るスナップフックの左側面図。
【図３】本考案の実施例に係るスナップフックの右側面。
【図４】本考案の実施例に係るスナップフックの使用例を示す正面図。
【図５】従来のスナップフックの正面図。
【図６】フィッシング用小物金具の一例とその使用状態を示す図。
【考案を実施するための形態】
【００２２】
本考案に係るスナップフックの実施形態は、その本体が、厚さ約２〜３ｍｍのステンレス板、アルミ合金板もしくは真鍮板等の金属板によって、点対称の向きとなった二つのフックを有する平板状のＳ字フックに形成され、そのＳ字フックの二つのフックが、最大約２〜３ｍｍ角の方形断面を有する角ロッド形状、又は最大径が約２〜３ｍｍの円形断面もしくは楕円形断面を有する丸ロッド形状に形成されている。
【００２３】
Ｓ字フックの一方のフックの開口部には、当該フックの内側からその先端部表面に対して圧接するように付勢された内開き式の外れ止め部材が設けられ、Ｓ字フックの他方のフックの開口部には、当該フックの外側からその先端部表面に対して圧接するように付勢された外開き式の外れ止め部材が設けられている。
【００２４】
前記一方のフックの開口部に設けられた内開き式の外れ止め部材は、前記他方のフックのシャンク部に回動自在に固定された固定端と、前記一方のフックの内側から当該フックの先端部表面に圧接する自由端とを有したステンレスロッドやアルミ合金ロッドあるいは真鍮ロッド等の金属ロッドで形成されている。
【００２５】
前記他方のフックの開口部に設けられた外開き式の外れ止め部材は、前記一方のフックのシャンク部に固定された固定端と、前記他方のフックの外側から当該フックの先端部表面に圧接する自由端とを有した薄板バネで形成されている。
【００２６】
また、外開き式の外れ止め部材を形成する薄板バネは、厚さ約０．２〜０．４ｍｍのステンレスバネ鋼によってスナップフック本体の厚さと略同等の幅を有する帯状バネに形成されており、その固定端が、内側にカール曲げしたカール形状に成形されて、前記一方のフックのシャンク部に形成されたすり割り溝に嵌め込んで固定されることにより、その自由端が前記他方のフックの先端部表面に対して圧接するように付勢されている。
【００２７】
また、前記他方のフックの先端部に、外開き式の外れ止め部材を形成する薄板バネの自由端が圧接する表面部位を削ぎ落として段付けした面取り部が形成されると共に、前記薄板バネの自由端の端末部が外側に反り曲げられて、その端末部と前記面取り部との間にクリアランスが形成されている。また、前記他方のフックの先端面は、丸みを帯びた凸曲面に形成され、当該フックの先端部に形成された前記面取り部の表面は、鏡面研磨加工を施して平滑面に形成されている。
【実施例】
【００２８】
図１〜図４に示す本考案の実施例に係るスナップフックは、その本体１が、厚さ約２〜３ｍｍのステンレス板（ＳＵＳ３０４）によって点対称の向きとなった二つのフックＦ１、Ｆ２を有する平板状のＳ字フックに形成され、その二つのフックＦ１、Ｆ２（もしくは、一つのフックＦ２）が、最大約２〜３ｍｍ角の方形断面を有する角ロッド形状、又は最大径が約２〜３ｍｍの円形断面もしくは楕円形断面を有する丸ロッド形状に形成されている。
【００２９】
一方のフックＦ１の開口部２には、当該フックＦ１の内側からその先端部表面に対して圧接するように付勢された内開き式の外れ止め部材３が設けられ、他方のフックＦ２の開口部４には、当該フックＦ２の外側からその先端部表面に対して圧接するように付勢された外開き式の外れ止め部材５が設けられている。
【００３０】
フックＦ１の開口部２に設けた内開き式の外れ止め部材３は、フックＦ２のシャンク部７に軸ピン８で回動自在に固定された固定端３ｂと、フックＦ１の内側から当該フックの先端部表面に圧接する自由端３ａとを有したステンレス製もしくはアルミ合金製のロッドで形成されて、トーションバネ（図示せず）等でフックＦ１の先端部表面に向かって回動するように付勢されている。なお、外れ止め部材３は、ロッドで成るものに限らず、例えば特許文献１の図１及び図５に記載された「ヘアピン形状の爪部４」の如く、ヘアピン形状ないしループ形状に曲げ加工されたステンレス製のワイヤで成るものであってもよい。
【００３１】
フックＦ２の開口部４に設けた外開き式の外れ止め部材５は、フックＦ１のシャンク部６に固定された固定端５ｂと、フックＦ２の外側から当該フックの先端部表面に対して圧接する自由端５ａとを有した薄板バネＬで形成されている。
【００３２】
薄板バネＬは、厚さ約０．２〜０．４ｍｍのステンレスバネ鋼（ＳＵＳ３０１、ＳＵＳ３０４又はＳＵＳ３０４Ｌ）によってスナップフック本体１の厚さと略同等の幅を有する帯状バネに形成されており、その固定端５ｂが、内側にカール曲げしたカール形状に成形されて、フックＦ１のシャンク部６に形成されたすり割り溝９に嵌め込んで固定されることにより、自由端５ａが、フックＦ２の外側から当該フックの先端部表面に対して圧接するように付勢されている。なお、薄板バネＬの固定端５ｂは、すり割り溝９内からの抜け落ちを防止するために、すり割り溝９の溝壁に対して金属用接着剤で固定されている。
【００３３】
フックＦ２の先端部には、薄板バネＬの自由端５ａが圧接する表面部位を削ぎ落として段付けした面取り部１０が形成されている。また、フックＦ２は、その先端面が、丸みを帯びた凸曲面に形成されると共に、先端部に形成した面取り部１０の表面が、鏡面研磨加工によって平滑面に形成されている。そして、薄板バネＬは、フックＦ２の先端部に形成された面取り部１０の表面に圧接する自由端５ａの端末部が、外側に反り曲げられて、その端末部とフックＦ２の面取り部１０との間にクリアランスＣが形成されている。
【００３４】
上記の如く構成されたスナップフックは、例えば図４に示すように、その本体１を形成するＳ字フックの一方のフックＦ１をズボンのベルト通し２１に掛け止めて、当該ベルト通し２１に吊るした状態に取り付けると共に、Ｓ字フックの他方のフックＦ２に、スナップ金具３１などのフィッシング用小物金具を掛け止めて使用する。なお、スナップ金具３１は、細いステンレスワイヤによって開閉可能に形成された大小二つの閉ループ部３２、３３を有する市販品で、図６のスナップ金具６３と同じようにラインにルアーを交換可能に連結する場合などに使用されている。
【００３５】
スナップ金具３１をフックＦ２に掛け止めるときは、当該スナップ金具３１を指先で摘まみ持って、その閉ループ部３２を、フックＦの先端部表面に圧接する薄板バネＬ（外れ止め部材５）の自由端５ａの端末部に引っ掛けて固定端５ｂ方向に引っ張り動かせば、簡単に掛け止めることができる。また、薄板バネＬの自由端５ａの端末部は、外側に反り曲げられて、当該端末部とフックＦの先端部表面との間にクリアランスＣが形成されているから、スナップ金具３１の閉ループ部３２を簡単かつ確実に引っ掛けることができる。
【００３６】
また、フックＦ２に掛け止めたスナップ金具３１をフックＦ２から取り外すときは、当該スナップ金具３１を指先で摘まみ持って、その閉ループ部３２を、薄板バネＬの自由端５ａに対して内側から押し当てるようにして自由端５ａの端末方向に引っ張り動かせば、簡単に取り外すことができる。
【００３７】
また、フックＦ２の先端面が、丸みを帯びた凸曲面に形成されると共に、薄板バネＬの自由端５ａが圧接するフックＦ２の面取り部１０の表面が、鏡面研磨加工によって平滑面に形成されているから、薄板バネＬが、付勢力の強いものであっても、スナップ金具３１の閉ループ部３２を、フックＦ２の先端側からその先端部と薄板バネＬの自由端５ａとの間に差し込んで、当該自由端５ａの端末方向に容易に引っ張り動かすことができる。しかも、スナップフックは、フックＦ１を掛け止めたベルト通し２１に支持されているから、片手だけを使って、スナップ金具３１の閉ループ部３２を薄板バネＬの自由端５ａの端末方向に引っ張り動かすことができる。
【００３８】
また、スナップフックは、フックＦ１によってベルト通し２１に取り付けられるので、ベルト通し２１に対して着脱する際に、フックＦ２に掛け止めたスナップ金具３１が脱落するおそれがない。また、フックＦ２の開口部に設けられた外れ止め部材５は、外開き式であるから、その外側から身体の一部や衣服が押し当って不如意に押し開かれるおそれもない。
【００３９】
また、薄板バネＬで形成された外れ止め部材５の自由端５ａが圧接するフックＦ２の先端部に、その表面部位を削ぎ落として段付けした面取り部１０が形成されていれば、薄板バネＬの自由端５ａの端末部が外側に反り曲がった形状となっていても、その端末部に他物が引っ掛かるなどして、薄板バネＬで成る外れ止め部材５が外側へ押し開かれることも防止されるので、フックＦ２に掛け止めたスナップ金具３１等の物品がフックＦ２から外れ落ちるおそれは皆無に近い。
【産業上の利用可能性】
【００４０】
本考案は、フィッシングに使用するスナップ金具やサルカン、ヨリモドシ等の小物金具をフィッシング用ベストやウエストバッグに設けられたＤリング等の金属リングや、ズボンのベルト通しなどに吊り下げて釣り場に携行・携帯する用途に好適なスナップフックを提供することができるものである。
【符号の説明】
【００４１】
１…スナップフック本体（Ｓ字フック）
Ｆ１…一方のフック
Ｆ２…他方のフック
２…一方のフックの開口部
３…内開き式の外れ止め部材
４…他方のフックの開口部  
５…外開き式の外れ止め部材
Ｌ…薄板バネ
６…一方のフックのシャンク部
７…他方のフックのシャンク部
９…すり割り溝
１０…面取り部
Ｃ…クリアランス
【図１】
0003161174.tif 000003
【図２】
0003161174.tif 000004
【図３】
0003161174.tif 000005
【図４】
0003161174.tif 000006
【図５】
0003161174.tif 000007
【図６】
0003161174.tif 000008